(57)【要約】 【課題】壁面に設けられた接続口に接続された配線を、デスク内に衛生的に案内することができる医療設備用デスクを提供する。【解決手段】医療設備用デスク１００は、左右方向に離間して配置された複数の脚体１,１と、該脚体１に支持され、後側が壁面Ｗ１に沿って配置可能とされた天板２と、前記複数の脚体１，１の下部同士を連結する下連結材３２及び、前記複数の脚体１，１の上部同士を連結し、前記下連結材３２との間に、前記壁面Ｗ１に設けられ配線が接続される接続口Ｄに面して、前記配線が挿通される挿通空間部Ｋ１を形成する上連結材３１を有する脚連結体と、前記挿通空間部Ｋ１よりも上方に配置され、前記挿通空間部Ｋ１に挿通された前記配線を収容する配線収容部４と、を備えることを特徴とする。【選択図】図２
2015077225.tif 000002
【特許請求の範囲】
【請求項１】
左右方向に離間して配置された複数の脚体と、
該脚体に支持され、後側が壁面に沿って配置可能とされた天板と、
前記複数の脚体の下部同士を連結する下連結材、及び前記複数の脚体の上部同士を連結し、前記下連結材との間に、前記壁面に設けられ配線が接続される接続口に面して、前記配線が挿通される挿通空間部を形成する上連結材を有する脚連結体と、
前記挿通空間部よりも上方に配置され、前記挿通空間部に挿通された前記配線を収容する配線収容部と、を備えることを特徴とする医療設備用デスク。
【請求項２】
前記上連結材及び前記下連結材は、前記複数の脚体の後部同士を連結することを特徴とする請求項１に記載の医療設備用デスク。
【請求項３】
前記配線収容部は、前記脚連結体に設けられていることを特徴とする請求項１または請求項２に記載の医療設備用デスク。
【請求項４】
前記配線収容部は、前記上連結材に設けられていることを特徴とする請求項１から請求項３のいずれか一項に記載の医療設備用デスク。
【請求項５】
前記脚連結体は、前記上連結材と前記下連結材とを連結し、左右方向に離間した一対の左右連結材を有するとともに、前記上連結材、前記下連結材及び一対の左右連結材により四方枠状に形成されていることを特徴とする請求項１から請求項４のいずれか一項に記載の医療設備用デスク。
【請求項６】
前記医療設備用デスクの最後端と前記天板との間に、前記配線収容部内の配線を前記天板上に案内する案内空間部が形成されていることを特徴とする請求項１から請求項５のいずれか一項に記載の医療設備用デスク。
【請求項７】
前記天板には、上下方向を向いて貫通し、前記配線収容部内の配線を前記天板上に案内する案内空間部が形成されていることを特徴とする請求項１から請求項５のいずれか一項に記載の医療設備用デスク。
【請求項８】
前記天板上方で電子機器を支持する支持部を備え、
前記案内空間部は、前記支持部の下方に配置されていることを特徴とする請求項６または請求項７に記載の医療設備用デスク。
【請求項９】
前記支持部は、
前記脚体から上方に向かって延びる上下杆と、
該上下杆から左右方向に向かって延び、前記電子機器を支持する左右杆と、を有することを特徴とする請求項８に記載の医療設備用デスク。
【請求項１０】
前記挿通空間部よりも前側で前記複数の脚体間に架設され、前側から見て前記挿通空間部を覆う幕板部材を備えることを特徴とする請求項１から請求項９のいずれか一項に記載の医療設備用デスク。
【発明の詳細な説明】
【技術分野】
【０００１】
本発明は、医療設備用デスクに関するものである。
【背景技術】
【０００２】
一般に、病院や介護施設等の医療施設における診察室では、医師等が患者を診察する際に必要な資料を載置し、またカルテを記入するためにデスクが設置されている。
【０００３】
このようなデスクとして、左右方向に離間して配置された一対の脚体と、これら脚体に支持された天板とを有するデスクが一般的に採用されている。
【０００４】
近年、カルテやレントゲン写真が電子化されつつあるため、医師は天板上に配置された電子機器に表示された医療画像を見て診断したり、電子機器を用いて電子カルテを作成する。この電子機器の配線は、壁面における天板の下方に設けられた電源コンセントに接続されている。
【０００５】
一方、医療施設においては、患者への細菌やウイルス等の感染を防止するために、衛生管理が厳重に行われている。例えば、床面からの高さに応じて、清潔とされた清潔エリアと、清潔でないとされた不潔エリアとに区分されている。具体的には、床面からの高さ３０ｃｍを基準高さとして、当該高さ以下の空間は不潔エリアとされ、当該高さよりも高い空間は清潔エリアとされ、備品等は清潔エリアに配置されるようになっている。また、電源コンセントは清潔エリアに設けられ、電源コンセントに接続された配線は不潔エリアを通過することなく電子機器まで引き回されることが衛生上望ましいとされている。
【０００６】
また、コンセントを備えた作業台として、左右方向に離間して配置された一対の脚体と、これら脚体に支持された天板と、天板の後端から上方に向かって延びる支柱と、支柱に設けられたコンセントとを備え、支柱内にコンセントに電力を供給するための配線が配置されたものが提案されている（下記特許文献１参照）。
【先行技術文献】
【特許文献】
【０００７】
【特許文献１】特許第５０９９８５２号公報
【発明の概要】
【発明が解決しようとする課題】
【０００８】
しかしながら、このような医療施設に上記に示すような脚体と天板とを有する一般的なデスクを壁に沿って配置すると、天板上に載置された電子機器の配線は、デスクの後端から下方に向かって垂れ下がり、壁面に設けられた電源コンセントに接続される。
よって、配線の長さが電子機器から電源コンセントまでの離間距離よりも長い場合には、配線が電源コンセントよりも下方位置にまで、つまり不潔エリアにまで垂れ下がってしまい、不衛生であるという問題点がある。
【０００９】
また、上記の特許文献１に記載の作業台においても、支柱内に配置された配線は、作業台の端部から下方に向かって垂れ下がり、壁面に設けられた電源コンセントに接続される。
よって、配線の長さが支柱のコンセントから壁面に設けられた電源コンセントまでの離間距離よりも長い場合には、配線が不潔エリアにまで垂れ下がってしまい、上記と同様に不衛生である。
【００１０】
本発明は、上記事情に鑑みてなされたものであり、壁面に設けられた接続口に接続された配線を、デスク内に衛生的に案内することができる医療設備用デスクを提供するものである。
【課題を解決するための手段】
【００１１】
上記目的を達成するために、本発明は以下の手段を採用している。
すなわち、本発明に係る医療設備用デスクは、左右方向に離間して配置された複数の脚体と、該脚体に支持され、後側が壁面に沿って配置可能とされた天板と、前記複数の脚体の下部同士を連結する下連結材、及び前記複数の脚体の上部同士を連結し、前記下連結材との間に、前記壁面に設けられ配線が接続される接続口に面して、前記配線が挿通される挿通空間部を形成する上連結材を有する脚連結体と、前記挿通空間部よりも上方に配置され、前記挿通空間部に挿通された前記配線を収容する配線収容部と、を備えることを特徴とする。
【００１２】
このように構成された医療設備用デスクでは、壁面に設けられた接続口に接続された配線は、上連結材と下連結材とで形成された挿通空間部を通過して、挿通空間部よりも上方に配置された配線収容部に収容される。よって、壁面に設けられた接続口に接続された配線が必要以上に長い場合であっても、配線を配線収容部に収容することで、床面から所定高さ未満の不潔エリアに配線を配置することなく、医療設備用デスク内に導入することができる。したがって、配線を医療設備用デスク内に衛生的に案内することができる。
また、上連結材、下連結材は、それぞれ複数の脚体の上部同士、下部同士を連結しているため、上連結材及び下連結材は、医療用デスクに対して水平方向に作用する力に抗することができる。よって、脚体の水平方向の捩れが防止されるため、医療設備用デスクを強固な構成とすることができる。
【００１３】
また、本発明に係る医療設備用デスクは、前記上連結材及び前記下連結材は、前記複数の脚体の後部同士を連結することが好ましい。
【００１４】
このように構成された医療設備用デスクでは、上連結材及び下連結材が複数の脚体の後部同士を連結するため、これら上連結材及び下連結材との間に形成され、配線が通過する挿通空間部は脚体の後側に位置する。よって、医療設備用デスクの後側に配線を配置することができ、つまり配線が前側に配置されることがないため、天板下方の空間を有効活用することができる。
【００１５】
また、本発明に係る医療設備用デスクは、前記配線収容部は、前記脚連結体に設けられていてもよい。
【００１６】
このように構成された医療設備用デスクでは、配線収容部を、挿通空間部の上方に位置するように脚連結体に設けることで、配線を収容することができる。
【００１７】
また、本発明に係る医療設備用デスクは、前記配線収容部は、前記上連結材に設けられていてもよい。
【００１８】
このように構成された医療設備用デスクでは、配線収容部を、挿通空間部の上方に位置する上連結材に設けることで、配線を収容することができる。
【００１９】
また、本発明に係る医療設備用デスクは、前記脚連結体は、前記上連結材と前記下連結材とを連結し、左右方向に離間した一対の左右連結材を有するとともに、前記上連結材、前記下連結材及び一対の左右連結材により四方枠状に形成されていてもよい。
【００２０】
このように構成された医療設備用デスクでは、上連結材、下連結材及び左右一対の左右連結材が四方枠状に形成されている。よって、上連結材、下連結材及び左右一対の左右連結材が、医療用デスクに対して水平方向のみならず鉛直方向に作用する力に抗することができるため、医療設備用デスクを強固な構成とすることができる。
【００２１】
また、本発明に係る医療設備用デスクは、前記医療設備用デスクの最後端と前記天板との間に、前記配線収容部内の配線を前記天板上に案内する案内空間部が形成されていてもよい。
【００２２】
このように構成された医療設備用デスクでは、挿通空間部を通過した配線は、医療設備用デスクの最後端側に形成された案内空間部を通過して天板上に案内される。
【００２３】
また、本発明に係る医療設備用デスクは、前記天板には、上下方向を向いて貫通し、前記配線収容部内の配線を前記天板上に案内する案内空間部が形成されていてもよい。
【００２４】
このように構成された医療設備用デスクでは、挿通空間部を通過した配線は、天板に形成された案内空間部に上下方向に挿通されて天板上に案内される。
【００２５】
また、本発明に係る医療設備用デスクは、前記天板上方で電子機器を支持可能な支持部を備え、前記案内空間部は、前記支持部の下方に配置されてもよい。
【００２６】
このように構成された医療設備用デスクでは、支持部に支持された電子機器の配線は、支持部の下方に設けられた案内空間部から配線収容部に案内される。通常、天板上に載置された電子機器の配線は天板上に配置される。一方、本発明では、電子機器は支持部に支持されて天板の上方に配置されるため、電子機器の配線は下方の案内空間部から配線収容部に案内される。よって、配線が天板上に配置されることがないため、整然とした納まりとすることができる。
【００２７】
また、本発明に係る医療設備用デスクは、前記支持部は、前記脚体から上方に向かって延びる上下杆と、該上下杆から左右方向に向かって延び、前記電子機器を支持する左右杆と、を有していてもよい。
【００２８】
このように構成された医療設備用デスクでは、左右杆の左右方向にわたって電子機器を配置することができるため、複数の電子機器を天板の上方に配置可能であるとともに、これらの電子機器の複数の配線を案内空間部から配線収容部に確実に案内することができる。
【００２９】
また、本発明に係る医療設備用デスクは、前記挿通空間部よりも前側で前記複数の脚体間に架設され、前側から見て前記挿通空間部を覆う幕板部材を備えていてもよい。
【００３０】
このように構成された医療設備用デスクでは、幕板部材が挿通空間部よりも前側で複数の脚体間に架設されているため、挿通空間部に配置された配線は幕板部材の後方に位置する。よって、医療設備用デスクの前方側からは、挿通空間部に配置された配線が見えないため、体裁を良好として配線を納めることができる。
【発明の効果】
【００３１】
本発明に係る医療設備用デスクによれば、壁面に設けられた接続口に接続された配線を、デスク内に衛生的に案内することができる。
【図面の簡単な説明】
【００３２】
【図１】本発明の実施形態に係る医療設備用デスクを示す斜視図である。
【図２】本発明の実施形態に係る医療設備用デスクを示す側面図である。
【図３】本発明の実施形態に係る医療設備用デスクを示す正面図である。
【図４】本発明の実施形態に係る医療設備用デスクを構成する脚連結体の構成を示す斜視図である。
【図５】本発明の実施形態に係る医療設備用デスクを構成する配線収容部等を分解した分解斜視図である。
【図６】本発明の実施形態に係る医療設備用デスクを構成する支持部を分解した分解斜視図である。
【図７】本発明の実施形態に係る医療設備用デスクを構成する配線収容部周辺の縦断面図である。
【図８】本発明の実施形態の変形例１に係る医療設備用デスクを構成する配線収容部周辺の縦断面図である。
【図９】本発明の実施形態の変形例２に係る医療設備用デスクを示す側面図である。
【発明を実施するための形態】
【００３３】
以下、本発明の実施形態について説明する。
本実施形態の医療設備用デスク（以下、「デスク」と称する）は、病院や医院、診療所等の医療施設に設置され、医師や看護士等（以下、「使用者」と称する）がこの上で電子機器を操作したり、書類を記載したりするために用いられるものである。
【００３４】
図１に示すように、デスク１００は、床面から上方に向かって延びる一対の脚体１,１と、脚体１に支持された天板２と、一対の脚体１,１同士を連結する連結枠体３（脚連結体）と、天板２上方で電子機器を支持する電子機器支持部８（支持部）と、を備えている。
【００３５】
ここで、デスク１００において、使用者がデスク１００と対向する側から反対側に向かう方向（図１に示す右奥から左手前に向かう方向）を前後方向とする。また、前後方向と交差する水平方向（図１の右手前から左奥に向かう方向）を左右方向とする。また、デスク１００の高さ方向（図１の上下方向）を上下方向とする。
【００３６】
図２及び図３に示すように、デスク１００は、天板２の後側が医療施設内の居室に設けられ鉛直方向に延びる壁Ｗに沿うように配置されている。なお、壁面Ｗには、床面から高さ約５０ｃｍの位置に、電源コンセントＤ（接続口）が設けられている。
【００３７】
（脚体）
一対の脚体１,１は、左右方向に離間して配置されている。脚体１は、それぞれ床面から延びる脚パネル１１と、脚パネル１１の下部から前方に向かって延びるベース脚１２と、脚パネル１１の上部から前方に向かって延びる支持脚１３とを有している。
【００３８】
脚パネル１１は、側面視矩形の板状部材であって、後端が壁面Ｗ１に面して配置されるとともに、床面から鉛直方向に延びている。脚パネル１１の後部側の下面には、上下方向の高さ調整を可能とするアジャスター１４が設けられている。
【００３９】
ベース脚１２は、後側が脚パネル１１の前部且つ下部に固定され、前後方向に延びている。このベース脚１２の下面には、上下方向の高さ調整を可能とするアジャスター１４が設けられている。
【００４０】
支持脚１３は、後側が脚パネル１１の前部且つ上部に固定され、前後方向に延びている。この支持脚１３は、天板２を支持している。
また、一対の脚パネル１１,１１の上部同士は、左右方向に延びる連結杆１９（図２参照）で連結されている。
【００４１】
（天板）
天板２は、前側が円弧状に形成された板状部材であって、脚パネル１１、支持脚１３及び連結杆１９に支持されている。この天板２は、電子機器を載置可能とされ、使用者が例えばキーボードやマウス等の入力機器を置いて入力作業を行ったり、書類を記載したりするために用いるものである。
天板２は、後端２Ｚ（図２参照）と壁面Ｗ１との間に隙間が設けられるようにして、壁面Ｗ１に沿って配置されている。
【００４２】
（連結枠体）
図１及び図４に示すように、連結枠体３は、一対の脚パネル１１,１１の上部同士を連結する上連結材３１と、一対の脚パネル１１,１１の下部同士を連結する下連結材３２と、上連結材３１と下連結材３２とを連結し左右方向に離間した一対の左右連結材３３，３３とを有している。これら上連結材３１、下連結材３２及び左右連結材３３は、例えば鋼板を折曲加工して形成されたものである。
【００４３】
上連結材３１は、左右方向に延びる部材であって、一対の脚パネル１１，１１のそれぞれの上部且つ後部を連結している。
【００４４】
詳細には、図５に示すように、上連結材３１は、鉛直面を有する上連結本体３１Ａと、上連結本体３１Ａの上端から前方に向かって折曲した受け壁部３１Ｂとを有している。さらに、上連結材３１は、受け壁部３１Ｂの前端から下方に向かって折曲した上鉛直壁部３１Ｃと、上鉛直壁部３１Ｃの下端から後方に向かって折曲した係合壁部３１Ｄと、係合壁部３１Ｄの後端から下方に向かって折曲した垂下壁部３１Ｅとを有している。
【００４５】
さらに、上連結材３１は、上連結本体３１Ａの下端から前方に向かって折曲した取付壁部３１Ｆと、取付壁部３１Ｆの前端から下方に向かって折曲した下鉛直壁部３１Ｇと、下鉛直壁部３１Ｇの下端から後方に向かって折曲した折曲壁部３１Ｈとを有している。
【００４６】
図１及び図４に示すように、下連結材３２は、左右方向に延びる部材であって、一対の脚パネル１１，１１のそれぞれの下部且つ後部を連結している。
【００４７】
図５に示すように、左右連結材３３は、上下方向に延びる部材であって、左側に配置される左右連結材３３は、左右方向に延びる面を有する連結本体３３Ａと、連結本体３３Ａの左端から後方に向かって折曲した取付壁部３３Ｂと、取付壁部３３Ｂの後端から右側に向かって折曲した折曲壁部３３Ｃと、折曲壁部３３Ｃの右端から前方に向かって折曲した後支持壁部３３Ｄとを有している。さらに、左側に配置される左右連結材３３は、連結本体３３Ａの右端から後方に向かって折曲した前支持壁部３３Ｅとを有している。
【００４８】
連結本体３３Ａの上端、後支持壁部３３Ｄの上端及び前支持壁部３３Ｅの上端の上下方向の位置は、それぞれ取付壁部３３Ｂの上端及び折曲壁部３３Ｃの上端の上下方向の位置よりも低い。連結本体３３Ａの上端は、上連結材３１の上鉛直壁部３１Ｃの下端を支持している。また、後支持壁部３３Ｄの上端は、上連結材３１の取付壁部３１Ｆの下面を支持している。また、前支持壁部３３Ｅの上端は、上連結材３１の折曲壁部３１Ｈの下面を支持している。
【００４９】
折曲壁部３３Ｃの前面には、上連結材３１の上連結本体３１Ａの後面が当接している。また、連結本体３３Ａの右面には、上連結材３１の上連結本体３１Ａの左端が当接している。また、連結本体３３Ａの後面には、上連結材３１の下鉛直壁部３１Ｇの前面が当接している。これら当接箇所が、例えば溶接等により接合されることにより、左右連結材３３の上部と上連結材３１と左端とは連結されている。また、左右連結材３３の下部と下連結材３２の左端とも、溶接等により連結されている。
右側に配置される左右連結材３３と上連結材３１、右側に配置される左右連結材３３と下連結材３２とも、上記と同様に連結されている。
【００５０】
このようにして、上連結材３１と、下連結材３２と、一対の左右連結材３３，３３とで四方枠状の連結枠体３が構成されている。
【００５１】
左右連結材３３の取付壁部３３Ｂの上部には、貫通孔３４が形成されている。貫通孔３４は、略円形状に形成された挿通孔部３４Ａと、挿通孔部３４Ａの上端から上方に向かって延びる取付孔部３４Ｂとで形成されている。また、脚体１の脚パネル１１の上部には、ネジ３５が取り付けられている。ネジ３５は、頭部３５Ｚを左右連結材３３側に向けて配置されている。
【００５２】
図５及び図６に示すように、脚パネル１１のネジ３５に左右連結材３３の取付壁部３３Ｂに形成された貫通孔３４の挿通孔部３４Ａを挿通し、連結枠体３を下方に向かって移動させることで、ネジ３５を取付孔部３４Ｂ内に配置する。これにより、ネジ３５の上端と取付孔部３４Ｂの上端とが係合する。この状態で、ネジ３５を螺合することで、脚パネル１１とネジ３５の頭部３５Ｚとにより、連結枠体３の左右連結材３３の取付壁部３３Ｂが挟持される。また、連結枠体３の左右連結材３３の取付壁部３３Ｂには上下方向に離間して複数の貫通孔（不図示）が形成されている。ネジ（不図示）がこれら貫通孔に挿通されて脚パネル１１に螺合されている。
【００５３】
このようにして、連結枠体３は一対の脚パネル１１，１１に取り付けられている。換言すると、上連結材３１は、左右連結材３３を介して一対の脚パネル１１，１１の上部同士を連結している。また、下連結材３２は、一対の脚パネル１１，１１の下部同士を連結している。
【００５４】
また、図１に示すように、上連結材３１の上連結本体３１Ａの後面、下連結材３２の後面及び左右連結材３３の折曲壁部３３Ｃの後面、つまり連結枠体３の後面は、脚パネル１１の後面と面一とされている。また、連結枠体３の後面及び脚パネル１１の後面は、天板２の後端面よりも後方に張り出している。
【００５５】
図３に示すように、電源コンセントＤに面した連結枠体３の内部の空間、つまり上連結材３１、一対の左右連結材３３，３３及び下連結材３２で囲まれた正面視略矩形状の空間は、壁面Ｗ１に設けられた電源コンセントＤに接続された電源コードＣ（配線）が挿通可能な挿通空間部Ｋ１とされている。
【００５６】
また、上連結材３１には、電源コードＣを収容可能な配線トレー４（配線収容部）が設けられている。
配線トレー４は、一対の脚体１，１間に左右方向に離間して４個設けられている。図６及び図７に示すように、配線トレー４は、上連結材３１の取付壁部３１Ｆに支持される底板部４０Ａと、底板部４０Ａの前端から立ち上がる前立設壁部４０Ｂとを有している。さらに、配線トレー４は、底板部４０Ａの後端から立ち上がる後立設壁部４０Ｃと、後立設壁部４０Ｃの上端から前方に向かって折曲した折曲壁部４０Ｄと、折曲壁部４０Ｄの前端から下方に向かって折曲した前垂れ壁部４０Ｅとを有している。
【００５７】
図５に示すように、配線トレー４の底板部４０Ａには、左右方向に間隔を有して２個の取り付け孔４１，４１が形成されている。また、上連結材３１の取付壁部３１Ｆにも、配線トレー４の取り付け孔４１に対応する位置に２個の取り付け孔３６，３６が形成されている。
【００５８】
図７に示すように、配線トレー４の底板部４０Ａが上連結材３１の取付壁部３１Ｆに支持されるとともに、後立設壁部４０Ｃの後面が上連結材３１の上連結本体３１Ａの前面に当接している。この状態で、上連結材３１の取り付け孔３６と配線トレー４の取り付け孔４１にネジ４９が螺合されている。このようにして、配線トレー４は、上連結材３１に取り付けられている。また、配線トレー４は、挿通空間部Ｋ１よりも上方に配置されている。
【００５９】
この配線トレー４の底板部４０Ａと、前立設壁部４０Ｂと、後立設壁部４０Ｃとで囲まれた空間は、電源コードＣを収容可能な空間である収容空間部Ｋ２とされている。
【００６０】
図３に示すように、配線トレー４により形成された収容空間部Ｋ２と、連結枠体３により形成される挿通空間部Ｋ１とは、隣接する配線トレー４，４間に形成される隣接空間部Ｋ３を介して連通されている。このため、挿通空間部Ｋ１を通過して上方に向かって延びる電源コードＣは、隣接空間部Ｋ３を通り、配線トレー４の収容空間部Ｋ２に配置される。このようにして、電源コードＣは、配線トレー４内に収容される。
【００６１】
図５及び図７に示すように、上連結材３１には、電源コードＣを天板２上に案内する配線案内機構５が設けられている。
配線案内機構５は、上連結材３１に取り付けられた回動カバー受け部材５０と、回動カバー受け部材５０に対して回動可能に連結されたホルダー部材６０と、ホルダー部材６０に取り付けられたカバー本体７０とを有している。
【００６２】
回動カバー受け部材５０は、連結枠体３の上連結材３１に取り付けられる台座部５１と、ホルダー部材６０を回動可能に軸支する軸支部５６とを有している。
【００６３】
台座部５１は、上連結材３１の受け壁部３１Ｂの上面に対向するベース部５１Ａと、上連結材３１の上鉛直壁部３１Ｃに沿って垂下する垂下壁部５１Ｂと、垂下壁部５１Ｂの下端から後方に向かって突出形成された係止爪５１Ｃとを有している。また、ベース部５１Ａの下面には、前方に向かうにしたがってその突出高さが高くなる形状をなす係止突起５１Ｄが形成されている。
【００６４】
上連結材３１には、上鉛直壁部３１Ｃと受け壁部３１Ｂとの交差する角部から受け壁部３１Ｂにわたって、台座部５１を取り付けるための貫通孔である上係止孔３７が形成されている。この上係止孔３７は、角部において左右方向の延びる左右孔部３７Ａと、左右孔部３７Ａから前後方向に延びる前後孔部３７Ｂとで形成されている。
【００６５】
また、上連結材３１には、上鉛直壁部３１Ｃと係合壁部３１Ｄとの交差する角部にも、左右方向に延びる貫通孔である下係止孔３８が形成されている。
【００６６】
図７に示すように、回動カバー受け部材５０の係止突起５１Ｄは上連結材３１の上係止孔３７に係止され、回動カバー受け部材５０の係止爪５１Ｃは上連結材３１の下係止孔３８に係止されている。これにより、回動カバー受け部材５０の台座部５１は、上連結材３１に取り付けられている。
【００６７】
軸支部５６は、台座部５１と一体に形成され、台座部５１のベース部５１Ａの左右両端から立ち上がる一対の側板５６Ａ，５６Ａと、これら一対の側板５６Ａ，５６Ａから内側に向かって突出するピポット軸５６Ｂとを有している。
【００６８】
ホルダー部材６０は、回動カバー受け部材５０の一対の側板５６Ａ，５６Ａの内側に配置される一対の側壁６１，６１と、一対の側壁６１，６１の上部を連結する天板部６２とを有している。側壁６１には、回動カバー受け部材５０のピポット軸５６Ｂが入り込むガイド溝６３が形成されている。
【００６９】
回動カバー受け部材５０のピポット軸５６Ｂは、ホルダー部材６０のガイド溝６３に入り込んでいる。これにより、ホルダー部材６０は、後端側を基点として、天板部６２が水平方向を向く状態から、天板部６２が鉛直方向を向く状態（図７の破線参照）まで、回動カバー受け部材５０に対して回動可能に支持されている。
【００７０】
カバー本体７０は、天板２の上面に連続して面状に形成されたカバー天面７１と、カバー天面７１の後端から下方に向かって折曲したカバー後面７２と、カバー天面７１の前端から前方に向かって延出し弾性変形可能なフレキシブルカバー７３とを有している。
【００７１】
カバー後面７２の下端がホルダー部材６０の側壁６１の下端に係合し、カバー天面７１の前端がホルダー部材６０の天板部６２の前端に係合することで、カバー本体７０はホルダー部材６０に取り付けられている。
【００７２】
上記に示す配線案内機構５では、カバー本体７０は、カバー本体７０が取り付けられたホルダー部材６０及びホルダー部材６０が取り付けられた回動カバー受け部材５０を介して、上連結材３１に対して回動可能に取り付けられている。つまり、カバー本体７０は、後端側を基点として、カバー天面７１が水平方向を向く状態から、カバー天面７１が鉛直方向を向く状態（図７の破線参照）まで、上連結材３１に対して回動可能に支持されている。
【００７３】
カバー本体７０のカバー天面７１が水平とされた状態において、カバー後面７２は、上連結本体３１Ａの後面と面一とされている。また、カバー本体７０のフレキシブルカバー７３の前端と天板２の後面との間には、微小な隙間が形成されている。
このように、上連結本体３１Ａの後面及びカバー後面７２は、デスク１００の最後端とされている。
【００７４】
図７に示すように、配線トレー４の上方であって、デスク１００の最後端と天板２の後面との間に形成された空間は、配線トレー４により形成される収容空間部Ｋ２と連通している。これにより、当該空間は、配線トレー４内に収容された電源コードＣを天板２上に案内する案内空間部Ｋ４とされている。
【００７５】
案内空間部Ｋ４内に上下方向に配置された電源コードＣとフレキシブルカバー７３とが接触した状態で、フレキシブルカバー７３は前側を上方に向けるようにして弾性変形する。配線コードＣは、フレキシブルカバー７３の前端と天板２の後端２Ｚとの間の隙間を通過して、案内空間部Ｋ４から天板２上に取り出し可能とされている。
【００７６】
また、カバー天板７０が鉛直方向とされた状態まで回動すると、案内空間部Ｋ４の上方が開放されるため、配線コードＣは、案内空間部Ｋ４から天板２上に取り出し可能とされている。
【００７７】
（電子機器支持部）
図１及び図６に示すように、電子機器支持部８は、上下方向に延びる一対の支柱８１，８１（上下杆）と、支柱８１を脚パネル１１に取り付けるための支柱取付金具８４と、一対の支柱８１，８１を互いに連結する左右杆８６とを有している。
【００７８】
支柱８１は、脚パネル１１に沿って配置された脚側壁部８１Ａと、この脚側壁部８１Ａの前端から折曲された前壁部８１Ｂと、脚側壁部８１Ａの後端から折曲された後壁部８１Ｃと、前壁部８１Ｂと後壁部８１Ｃとを連結する金具側壁部８１Ｄとを有している。
【００７９】
これら脚側壁部８１Ａ、前壁部８１Ｂ、後壁部８１Ｃ及び金具側壁部８１Ｄには、それぞれ前後方向に延びる凹溝８２が形成されている。また、脚側壁部８１Ａ及び金具側壁部８１Ｄには、脚側壁部８１Ａから金具側壁部８１Ｄに向かって貫通するように、それぞれ上下方向に離間して一対の貫通孔である取付孔８３が形成されている。
【００８０】
支柱取付金具８４は、支柱８１の下端に沿って配置された底部８４Ａと、底部８４Ａから折曲し支柱８１を挟んで脚パネル１１とは反対側に配置される取付壁部８４Ｂと、取付壁部８４Ｂの前後両端から折曲した一対の折曲壁部８４Ｃ，８４Ｃとを有している。
【００８１】
さらに、支柱取付金具８４は、前側の折曲壁部８４Ｃの上端から前方に向かって折曲した上壁部８４Ｄと、上壁部８４Ｄの前端から下方に向かって折曲した垂下壁部８４Ｅと、後側の折曲壁部８４Ｃの端部から前方に向かって折曲した係合壁部８４Ｆと、底部８４Ａから脚パネル１１に沿って下方に向かって折曲した下壁部８４Ｇとを有している。
【００８２】
また、支柱取付金具８４の取付壁部８４Ｂには、上下方向に離間して一対の貫通孔である取付孔８５，８５が形成されている。また、支柱取付金具８４の上壁部８４Ｄ及び下壁部８４Ｇにも、それぞれ貫通孔である取付孔８８，８９が形成されている。
【００８３】
支柱８１は、支柱取付金具８４を介して脚パネル１１に取り付けられている。詳細には、支柱８１の脚側壁部８１Ａは脚パネル１１に沿って配置されている。また、支柱８１の前壁部８１Ｂ、金具側壁部８１Ｄ及び後壁部８１Ｃに沿って、それぞれ支柱取付金具８４の前側の折曲壁部８４Ｃ、取付壁部８４Ｂ及び後側の折曲壁部８４Ｃが配置されている。また、支柱８１の後壁部８１Ｃの凹溝８２には支柱取付金具８４の係合壁部８４Ｆが係合している。
【００８４】
この状態で、支柱取付金具８４の下壁部８４Ｇの取付孔８９に挿通されたネジ９１は、脚パネル１１に形成された螺合孔１１Ａに螺合されている。また、支柱取付金具８４の取付壁部８４Ｂの取付孔８５及び支柱８１の取付孔８３に挿通されたネジ９２は、脚パネル１１に形成された螺合孔１１Ｂされている。また、支柱取付金具８４の上壁部８４Ｄの取付孔８８に挿通されたネジ（不図示）は、天板２に螺合されている。このように、支柱８１は支柱取付金具８４を介して脚パネル１１及び天板２に取り付けられ、支柱８１は脚パネル１１に沿って上方に向かって延びるように取り付けられている。
【００８５】
図１に示すように、左右杆８６は、その両端が支柱８１，８１に例えばネジ等により取り付けられている。この左右杆８６にも、支柱８１と同様に左右方向に延びる凹溝８７が形成され、この凹溝８７にディスプレイＥ（電子機器）がネジ（不図示）等により取り付けられている。また、左右杆８６の下方には、案内空間部Ｋ４（図７参照）が配置されている。
【００８６】
このように構成されたデスク１００では、壁面Ｗ１に設けられた電源コンセントＤに接続された電源コードＣは、電源コンセントＤから上方に向かって延び挿通空間部Ｋ１を通過する。この電源コードＣは、挿通空間部Ｋ１と連通して形成された隣接空間部Ｋ３を経由して配線空間部Ｋ２に向かって左右方向に延びる。さらに、電源コードＣは、配線空間部Ｋ２と連通して形成された案内空間部Ｋ４に向かって上方に延びる。そして、カバー本体７０のカバー天面７１が鉛直方向を向く状態又はカバー本体７０のフレキシブルカバー７３が弾性変形して前側を上方に向けるようにした状態において、電源コードＣは、案内空間部Ｋ４から天板２上に取り出される。この電源コードＣは、脚体１に取り付けられた電子機器支持部８の左右杆８６に支持されたディスプレイＥに接続されている。
ここで、医療施設では、衛生管理上、床面から約３０ｃｍの高さまでの空間は不潔エリアとされている。上記のように構成されたデスク１００では、床面から約５０ｃｍに設けられた電源コンセントＤに接続された電源コードＣは、電源コンセントＤから上方に向かって配置されている。この電源コードＣの長さが電源コンセントＤとディスプレイＥとの離間距離よりも長い場合には、当該長い分に相当する電源コードＣの部分（以下、余剰コードとする。）は、不潔エリアに垂れ下がることなく収容空間部Ｋ２に収容される。よって、電源コードＣを、デスク１００の上方に衛生的に案内することができる。また、電源コードＣが床面上に配置されることがないため、清掃作業性を良好とすることができ、医療施設の居室内を衛生的に維持することができる。
【００８７】
また、余剰コードは、天板２上で配置されることなく収容空間部Ｋ２に収容される。よって、天板２上に余剰コードが露出して作業スペースが減少することがないため、天板２上を有効的に活用することができる。
【００８８】
また、電子機器支持部８の左右杆８６に支持されたディスプレイＥの電源コードＣは、左右杆８６の下方に設けられた案内空間部Ｋ４を介して配線トレー４内に案内される。通常、天板２上に載置されたディスプレイＥの電源コードＣは、天板２上に配置される。一方、本発明では、ディスプレイＥは電子機器支持部８に支持されて天板２の上方に配置されるため、ディスプレイＥの電源コードＣは下方の案内空間部Ｋ４から配線トレー４に案内される。よって、電源コードＣが天板２上に配置されることがないため、整然として治まりとして、天板２上を有効的に活用することができるとともに、天板２上の清掃性を良好とすることができる。
【００８９】
また、案内空間部Ｋ４は天板２の後方に形成されているため、天板２全体を作業スペースとして有効的に活用できるとともに、電源コードＣをデスク１００の後側から下方に向かって配置することができる。さらに、配線トレー４及び挿通空間部Ｋ１もデスク１００の後側に設けられている。よって、デスク１００の後側に電源コードＣを配置することができ、電源コードＣが前側に配置されることがないため、天板２下方の空間を有効活用することができる。
【００９０】
また、上連結材３１、下連結材３２及び左右一対の左右連結材３３が四方枠状に形成されている。よって、一対の脚パネル１１の上部同士、下部同士を連結している上連結材３１、下連結材３２は、デスク１００に対して水平方向に作用する力に抗することができる。また、上連結材３１と下連結材３２とを鉛直方向に連結する一対の左右連結材３３は、デスク１００に対して鉛直方向に作用する力に抗することができる。よって、デスク１００を強固な構成とすることができる。
【００９１】
また、配線トレー４は、上連結材３１を介してデスク１００に取り付けられている。よって、配線トレー４をデスク１００に取り付けるための部材を別途設ける必要がないため、部品点数を抑えて、配線トレー４をデスク１００に設けることができる。
【００９２】
また、電子機器支持部８の左右杆８６が左右方向に向かって延びているため、左右方向にわたって複数のディスプレイＥ等の電子機器を設けることができる。
【００９３】
（変形例１）
次に、上記に示す実施形態の変形例１について、主に図８を用いて説明する。
この変形例において、前述した実施形態で用いた部材と同一の部材には同一の符号を付して、その説明を省略する。
図８に示すように、上記に示す実施形態の変形例１に係るデスク２００では、天板２０２の後端面は、上連結材２３１の上連結本体３１Ａの後面、下連結材３２（図１参照）の後面、左右連結材３３（図５参照）の折曲壁部３３Ｃ（図５参照）の後面及び脚パネル１１（図５参照）の後面と面一とされている。
【００９４】
この天板２０２の後部には、上下方向を向く貫通孔２２０が形成されている。この貫通孔２２０内は、配線トレー４内の電源コードＣを天板２０２上に案内する案内空間部Ｋ２０４とされている。
【００９５】
このように構成されたデスク２００では、電源コンセントＤに接続された電源コードＣを、貫通孔３４に挿通されて天板２上に案内することができる。よって、天板２に貫通孔３４を形成するだけの簡易な構成であっても、電源コードＣを天板２上に案内することができる。
【００９６】
（変形例２）
以下、上記に示す実施形態の変形例２に係るデスク３００について、主に図９を用いて説明する。
この実施形態において、前述した実施形態で用いた部材と同一の部材には同一の符号を付して、その説明を省略する。
【００９７】
本実施形態に係るデスク３００は、上記に示す実施形態に係るデスク１００がさらに幕板部材３０１を備えるものである。
【００９８】
幕板部材３０１は、正面視略矩形状の板状部材であって、挿通空間部Ｋ１よりも前側で、一対の脚体１,１間に架設されている。この幕板部材３０は、前側から見て、挿通空間部Ｋ１を覆っている。
【００９９】
このように構成されたデスク１００では、挿通空間部Ｋ１の前側に幕板部材３０１が配置されているため、挿通空間部Ｋ１に配置された電源コードＣは幕板部材３０１の後方に位置している。よって、デスク１００の前方側からは、挿通空間部Ｋ１に配置された電源コードＣが見えないため、体裁を良好として配線を納めることができる。
【０１００】
また、上述した実施の形態において示した各構成部材の諸形状や組み合わせ等は一例であって、本発明の主旨から逸脱しない範囲において設計要求等に基づき種々変更可能である。
【０１０１】
例えば、上記に示す実施形態において、連結枠体３は、上連結材３１と、下連結材３２と、一対の左右連結材３３とを有しているが、本発明はこれに限られない。連結枠体は、少なくとも上連結材３１と、下連結材３２とを有していればよい。
【０１０２】
また、上記に示す実施形態において、配線トレー４は上連結材３１に設けられているが、本発明はこれに限られない。例えば、下連結材３２に上方に向かって延びる支持部が設けられ、この支持部に配線トレーが設けられる構成であってもよい。
【０１０３】
また、上記に示す実施形態おいて、デスク１００の最後端は、脚パネル１１の後面且つ連結枠体３の後面とされているが、本発明はこれに限られない。例えば、脚パネル１１の後面が連結枠体３の後面よりも後方に張り出す構成、または連結枠体３の後面が脚パネル１１の後面よりも後方に張り出す構成であってもよい。いずれの場合にも、後方に張り出している方の部材の後面（脚パネル１１の後面又は連結枠体３の後面）と天板２の後端２Ｚとの間に案内空間部Ｋ４が形成されているか、天板２０２に貫通孔２２０が形成されていれば、挿通空間部Ｋ１を通過した電源コードＣを天板２，２０２上に案内することができる。
【０１０４】
また、上記に示す実施形態おいて、貫通孔２２０は天板２０２の後端面よりも前方に形成されているが、本発明はこれに限られない。例えば、貫通孔２２０は、天板２０２の後端面から前方に凹むとともに、天板２０２を上下方向に貫通するように形成されていてもよい。
【０１０５】
また、上記に示す実施形態において、接続口、配線の一例としてそれぞれ電源コンセントＤ、電源コードＣを例に挙げて説明したが、本発明はこれに限られない。接続口として、他にはＬＡＮ用モジュラコンセント、電話用モジュラコンセント、テレビ用コンセント等が適用可能であり、配線はこれらの接続口に接続されるケーブル等が適用可能である。
【０１０６】
また、上記に示す実施形態において、デスク１００は２つの脚体１，１を備えているが、本発明にはこれに限られず、３つ以上の脚体１，１，１…を備えていてもよい。この場合には、隣接する脚体１，１同士が、上連結材３１及び下連結材３２で連結される構成とされる。
【０１０７】
また、上記に示す実施形態において、脚体１は、脚パネル１１、ベース脚１２及び支持脚１３により構成されているが、本発明はこれに限られない。脚体が、脚パネル１１及びベース脚１２によりＬ字状に形成されていてもよい。または、脚体が脚パネルのみにより形成されていてもよい。
【０１０８】
また、上記に示す実施形態において、電子機器支持部８は、左右一対の支柱８１，８１を有しているが、本発明はこれに限られない。例えば、支柱８１がデスク１００の左右方向略中央に配置され、この支柱８１から左右両側に延びるように左右杆が設けられていてもよい。
【０１０９】
また、上記に示す実施形態において、案内空間部Ｋ４から案内された電源コードＣは、電子機器支持部８の左右杆８６に支持されたディスプレイＥに接続されているが、本発明はこれに限られない。電源コードＣが、例えば天板２上に載置された電子機器に接続される場合にも適用可能である。
【符号の説明】
【０１１０】
１…脚体
２，２０２…天板
３…連結枠体（脚連結体）
３１，２３１…上連結材
３２…下連結材
３３…左右連結材
４…配線トレー（配線収容部）
８…電子機器支持部（支持部）
８１…支柱（上下杆）
８６…左右杆
１００，２００，３００…デスク（医療設備用デスク）
２２０…貫通孔
３０１…幕板部材
Ｃ…電源コード（配線）
Ｄ…電源コンセント（接続口）
Ｅ…ディスプレイ（電子機器）
Ｋ１…挿通空間部
Ｋ４，Ｋ２０４…案内空間部
Ｗ１…壁面
【図１】
2015077225.tif 000003
【図２】
2015077225.tif 000004
【図３】
2015077225.tif 000005
【図４】
2015077225.tif 000006
【図５】
2015077225.tif 000007
【図６】
2015077225.tif 000008
【図７】
2015077225.tif 000009
【図８】
2015077225.tif 000010
【図９】
2015077225.tif 000011